(57)【要約】【課題】多方面で用いることができ使用可能な伝送レートに関して高度なフレキシビリティをもつ方法および装置を提供する【解決手段】コアコーデック（１００）内でコアパラメータ（１０２）を求めることによりオーディオデータストリームを圧縮するステップと、後置接続された少なくとも１つのエンハンスメント段（１１０）において符号化を改善するステップが設けられている。その際、オーディオデータストリーム（１３０）を周波数変換し（１０５）、コアコーデック（１００）により生成された合成されたオーディオ信号（１０４）も周波数変換し、周波数変換され合成されたオーディオ信号（１０６）を周波数変換されたオーディオデータストリーム（１０７）と結合する（１０８）。【選択図】図１
2010170142.tif 000002
【特許請求の範囲】
【請求項１】
ビットレートスケーラブルなオーディオデータストリームを生成する方法において、
コアコーデック（１００）内でコアパラメータ（１０２）を求めることによりオーディオデータストリームを圧縮するステップと、
後置接続された少なくとも１つのエンハンスメント段（１１０）において符号化を改善するステップが設けられており、
ここでオーディオデータストリーム（１３０）を周波数変換し（１０５）、コアコーデック（１００）により生成された合成されたオーディオ信号（１０４）も周波数変換し、
周波数変換され合成されたオーディオ信号（１０６）を周波数変換されたオーディオデータストリーム（１０７）と結合する（１０８）ことを特徴とする、
ビットレートスケーラブルなオーディオデータストリームを生成する方法。
【請求項２】
エンハンスメント段（１０２）内でベクトル符号化を行う、請求項１記載の方法。
【請求項３】
コアパラメータ（１０２）はコードブックの選択を制御する、請求項１または２記載の方法。
【請求項４】
結合パラメータを受信機へ伝送する、請求項１から３のいずれか１項記載の方法。
【請求項５】
コアコーデック（１００）は入力信号（１３０）を少なくとも２つのサブフレームに分割し、前記変換（１０５）は、コアコーデック（１００）のサブフレームに同期して実行される周波数変換である、請求項１または４記載の方法。
【請求項６】
前記周波数変換（１０５）によってサブフレームごとに、それぞれ１つのスペクトルベクトル（２１０，２２０，２３０，２４０）を生じさせる変換を実行し、各スペクトルベクトル（２１０）は少なくとも２つのサブバンド（２１１〜２１４）に分割されていて、各エンハンスメント段（１１０，１２０）はそれらのサブバンド（２１１〜２１４）の１つを改善する、請求項５記載の方法。
【請求項７】
エンハンスメント段（１１０）ごとに、改善されたサブバンドのパラメータセット（ＥＮＨ１）とアドレス（２１３）を伝送する、請求項６記載の方法。
【請求項８】
各サブバンドごとに、伝送すべきビットストリームにおいて個々のサブバンドのためにいくつのエンハンスメント段が相前後して存在するのかを記憶し（Ｎ２１１）、サブバンドの個々のエンハンスメント段の相対的な意味内容を求めるための付加情報（２０００）を記憶し、ビットストリーム（４００）と付加情報（４０１）を伝送前にビットストリーム操作ユニット（４１０）においてまとめる、請求項７記載の方法。
【請求項９】
受信した隣接するサブバンドから計算により、たとえば補間により、サブバンドを受信機側で生成する、請求項６から８のいずれか１項記載の方法。
【請求項１０】
請求項１から９のいずれか１項記載の方法を実施するための装置において、
コアパラメータ（１０２）を求めてオーディオデータストリーム（１３０）を圧縮するコアコーデック（１００）と、
該コアコーデック（１００）に後置接続された少なくとも１つのエンハンスメント段（１１０）が設けられており、前記コアコーデック（１００）はエンハンスメント段（１１０）と接続されており、
コアコーデック（１００）からエンハンスメント段（１１０）への接続により、前記コアパラメータ（１０２）によるエンハンスメント段（１１０）の制御が行われ、
オーディオデータストリーム（１３０）のための周波数変換段（１０５）と、
コアコーデック（１００）により生成された合成オーディオ信号（１０４）のための別の周波数変換段（１０５）と、
周波数変換を受けた信号のための結合段（８）が設けられていることを特徴とする装置。
【請求項１１】
どのサブバンドを改善するのかを制御する割り当て制御部（１４０）が設けられている、請求項１０記載の装置。
【発明の詳細な説明】
【技術分野】
【０００１】
本発明は、ビットレートスケーラブルなオーディオデータストリームを生成する方法および装置に関する。本発明は、データ通信の分野たとえばオーディオデータ通信の分野に適用可能である。
【背景技術】
【０００２】
データ通信の分野における周知の問題点は、伝送すべきデータ信号はデータ源においては高いデータレートたとえば毎秒６４ｋｂｉｔで使用できるが、伝送または処理のために使うことのできるデータチャネルは、伝送データをそれよりも低いデータレートたとえば毎秒３２ｋｂｉｔでしか伝送できないことである。この場合、データをまずはじめに高いデータレートで復号し、ついでそれよりも低いデータレートで新たに符号化しなければならない。これにより高度な機器技術的および計算技術的な煩雑さが引き起こされる。その理由は殊に、最近のデータネットワークではデータレートは一定ではなく可変であって、データネットワークの個々の負荷状況に合わせて整合されるからである。これに比べていっそう好適であるのは、ビットレートスケーラブルなデータストリームを供給することであり、このデータストリームにおいて、そのつど伝送チャネルで使えるデータレートに従って、利用可能なデータビットの一部分だけが伝送される。ビットレートスケーラブルなオーディオデータストリームを生成するためのそれ相応の方法は目下、標準化作業の枠組みにおいて殊に、たとえばＭＰＥＧ４（Moving Picture Expert Group）の標準化の枠組みにおいて、世界規模で着手されている。殊に、ＭＰＥＧ４標準化されて開発されたコーデックＣＯＤＥＣ（COder/DECoder）によって、ビットレートスケーラビリティの機能を保証しなければならない。
【０００３】
WO 97 159 83A によれば、ビットレートスケーラブルなオーディオデータストリームを生成する方法が公知であり、これによればコアコーデック内においてコアパラメータを求めることでオーディオデータストリームが圧縮される。後置接続されたエンハンスメント段において、符号化が改善される。各エンハンスメント段はコアパラメータに依存して制御される。
【先行技術文献】
【特許文献】
【０００４】
【特許文献１】WO 97 159 83A
【発明の概要】
【発明が解決しようとする課題】
【０００５】
したがって本発明の課題は、ビットレートスケーラブルなオーディオデータストリームを生成する方法および装置において、多方面にわたり用いることができ、利用可能な伝送レートが低くても良好な伝送品質が保証され、利用可能な伝送データレートへの整合に関して僅かなコストで高度なフレキシビリティが得られるようにすることである。
【課題を解決するための手段】
【０００６】
本発明によればこの課題は、ビットレートスケーラブルなオーディオデータストリームを生成において、コアコーデック内でコアパラメータを求めることによりオーディオデータストリームを圧縮するステップと、後置接続された少なくとも１つのエンハンスメント段において符号化を改善するステップが設けられており、ここでオーディオデータストリームを周波数変換し、コアコーデックにより生成された合成されたオーディオ信号も周波数変換し、周波数変換され合成されたオーディオ信号を周波数変換されたオーディオデータストリームと結合することにより解決される。
【０００７】
本発明による方法の場合、コアコーデックがコアユニットを成し、到来する入力データストリームをたとえば２．４ｋｂｉｔ／ｓまたは６ｋｂｉｔ／ｓの低いビットレートで符号化する。コアコーデックに続いて、任意の個数のいわゆるエンハンスメント段または改善段（Verbesserungsstufe）が設けられており、それらは用途に応じて１，２，３または４ｋｂｉｔ／ｓのデータレートで符号化する。この方法の利点は、任意の個数のエンハンスメント段を消去してもビットストリームの他の部分に対し影響が及ぼされないことである。基本的な条件は、利用可能な伝送システムが少なくともコアコーデックのビットレートを保証することである。コアコーデックは到来するオーディオ信号をパラメータ化し、たとえば音の高さ、有声音／無声音または音量などのパラメータを求める。たとえばＩＴＵ−Ｔ Ｇ．７２３．１（ITU, International Telecommunication Union）によるコアコーデックを用いることができる。本発明において有利であるのは、コアコーデックにより求められたコアパラメータが、後置接続されたエンハンスメント段を制御することである。それというのも、これによってエンハンスメント段の効率を格段に高めることができるからである。
【０００８】
本発明の１つの実施形態によればこの方法は、エンハンスメント段においてベクトル符号化を行い、コアパラメータがコードブックの選択を制御するように構成されている。これが有利であるのは、周期的なオーディオ区間において非周期的なオーディオ区間とは異なるコードブックをベクトル符号化のために用いることができる理由による。しかも信号エネルギー（音量）の符号化のために、コアコーデックのエネルギーパラメータがそのまま用いられ、その結果、ビットレートが著しく節約されるようになる。コアパラメータはいずれにせよ受信機へ伝送されるので、それを利用することができる。
【０００９】
１つの実施形態によればこの方法は、オーディオ入力データストリームを変換するステップと、コアコーデックにより生成された合成オーディオ信号を変換するステップと、変換された合成オーディオ信号を変換されたオーディオデータストリームと結合するステップをもつように構成されている。これにより有利には僅かなコストかつ高い精度で、コアコーデックにより圧縮されたオーディオ信号と元の信号との差が求められる。最も簡単な事例では、結合にあたり差分形成を行うことができるが、たとえば改善された適合のためもとのスペクトルへコアスペクトルを整合させるなど、それよりも複雑な演算を含めることもできる。最後に挙げた本発明の実施形態の場合、整合に用いられる結合パラメータを受信機へ伝送する。
【００１０】
本発明の１つの実施形態によればこの方法は以下のように構成されている。すなわち、コアコーデックが入力信号を少なくとも２つのサブフレームに分割し、変換としてコアコーデックのサブフレームと同期して実行される周波数変換を行い、周波数変換によりサブフレームごとにそれぞれ１つのスペクトルベクトルを生成する変換を行い、各スペクトルベクトルを２つのサブバンドに従い少なくとも２つのサブベクトルに分割し、各エンハンスメント段はサブバンドのうちの１つを改善する。ここで用いられる周波数変換およびサブバンドへの分割により得られる利点とは、本発明による方法により、客観的な判定基準に従ってビットレートスケーリングにおける高い効率が実現されるだけでなく、主観的な判定基準たとえば人間の耳の音響心理的境界条件なども考慮されることである。どのサブバンドを改善するのかは、リソース割り当てユニットにより定められる。この決定は既述のように、どの周波数帯域が主観的に重要であるのかを判定する心理音響学的なモデルによって行うこともできるし、あるいはＳＮ比の測定によって行うこともできる。
【００１１】
本発明の１つの格別な実施形態によればこの方法は、段ごとに改善されたサブバンドのパラメータセットとアドレスを伝送するように構成されている。割り当てユニットはサブバンドをそれらの重要度の順序で改善するので、本発明のこの実施形態によれば、改善されたビットがビットストリーム中においてそれらの重要度の順序で格納される、という利点が得られる。各々の段にはアドレスが設けられているので、受信機においてそれを問題なく高い信頼性をもって適正に対応づけることができる。この場合、スケーリングはことのほか問題なく、いかなる付加的なコストもかけることなく単にそれ相応の個数のエンハンスメント段を抑圧するだけで可能となり、その際、最も重要ではない段から始まるように構成されている。さらに有利であるのは、このスケーリングを伝送区間の任意のポイントにおいて行うことができることである。この場合、残されたビットストリームの付加的な変更は不要である。
【００１２】
本発明の１つの格別な実施形態によればこの方法は、各サブバンドごとに、伝送すべきビットストリームにおいて個々のサブバンドのためにいくつのエンハンスメント段が相前後して存在するのかを記憶し、サブバンドの個々のエンハンスメント段の相対的な意味内容を求めるための付加情報を記憶し、ビットストリームと付加情報を伝送前にビットストリーム操作ユニットにおいてまとめるように構成されている。
【００１３】
本発明のさらに別の格別な実施形態によればこの方法は、受信した隣接サブバンドから計算により、たとえば補間により、受信機側でサブバンドを生成するように構成されている。計算のために補間以外にも他の数学的手法が考慮され、たとえば伝送されたデータストリームの特性を考慮した統計的手法などが考慮される。この場合、伝送障害または伝送中断に基づき受信機側に到来しなかったり適時には到来しなかったサブバンドを再構成できる点で有利であるし、あるいはそれどころか、個々のサブバンドまたはデータパケットが伝送経路上で遅延したときに、サブバンドをあらかじめ計算できる点で有利である。
【００１４】
本発明には、ビットレートスケーラブルなオーディオデータストリームのための装置も含まれており、これにはコアパラメータを求めることでオーディオ入力データストリームを圧縮するコアコーデックと、このコアコーデックに後置接続されたエンハンスメント段が設けられている。この場合、コアコーデックはエンハンスメント段と接続されており、コアパラメータによりエンハンスメント段が制御されることを特徴としている。この種の装置はたとえば、既述の方法のうちの１つを実施するとき、たとえばどのサブバンドを改善するのかを制御する割り当て制御部を有するような方法を実施するとき、本発明に含まれる。本発明による装置について、本発明による方法の説明の枠内で先に挙げた利点が相応にあてはまる。
【００１５】
さらに本発明には、エンハンスメント段における符号化の改善を制御するコアコーデックのコアパラメータの使用法も含まれる。
【００１６】
ここで殊に有利であるのは、入力信号のパラメータ化を表すものでありコアコーデックにより求められ伝送されるコアパラメータを、エンハンスメント段制御のために有効に使用することができ、それによりたとえば主観的な伝送品質がすでに１番目のエンハンスメント段から著しく改善されることである。
【００１７】
さらに本発明によれば、制御情報の格納されているデータ担体において、その制御情報により、電子計算装置または既述の装置のうちの１つの装置内で先に述べた方法の実行が制御されることを特徴としている。この場合、データ担体は任意の形式で制御情報を格納することができ、たとえば機械的、光学的、磁気的または電子的な形態で格納することができる。殊に有利であるのは、そのようにして記憶された制御情報を軽便かつ容易に実装することができ、安価なコストで再現可能であり、しかも僅かな手間で保守できることである。電子計算装置での制御情報の実装は、従来の技術による手段で可能である。
【００１８】
本発明の有利な利点、特徴ならびに詳細な点は、従属請求項ならびに以降の記載に示されており、以下では図面を参照しながら複数の実施例について詳しく説明する。なお、各請求項ならびに以下の説明で言及する特徴はそれ自体単独の構成であってもよいし、あるいは任意な組み合わせにおいても本発明の本質をなすものである。次に、図面を参照しながら本発明を実施するやり方について詳しく説明する。
【図面の簡単な説明】
【００１９】
【図１】コアコーデックおよび２つのエンハンスメント段を備えた本発明による装置を示す図
【図２】コアコーデックの１つのフレームを４つのサブフレームに分割した様子を示す図
【図３】主観的な優先順位に応じたメモリフォーマットおよび伝送フォーマットを示す図
【図４ａ】アドレッシングによるオーバヘッドの少ない択一的なメモリフォーマットおよび伝送フォーマットを示す図
【図４ｂ】図４ａによる択一的なメモリフォーマットおよび伝送フォーマットに対応するビット操作ユニットを示す図
【発明を実施するための形態】
【００２０】
図１には、コアコーデック（Core-Codec）１００と２つのエンハンスメント段１１０，１２０を備えた本発明による装置が描かれている。入力信号１３０はまずはじめに、コアエンコーダ１０１により圧縮される。このコアエンコーダ１０１は任意のアルゴリズムで表現することができ、任意のサンプリングレートで動作可能である。有利な実施形態の場合、標準化されたコーデックたとえば Codec ITU-T が用いられる。コアエンコーダ１０１により形成されたビットストリームであるコアパラメータ１０２が格納される。次に、コアアルゴリズムを用いてコアデコーダ１０３による復号が行われる。コアデコーダ１０３により形成された合成オーディオ信号１０４はもとの入力信号１３０と同様、算術演算部１０５において処理される。この算術演算はたとえば高速フーリエ変換（ＦＥＴ）、ＭＤＣＴ（Modified Discrete Cosine Transformation）、またはＱＭＦフィルタバンク（Filterbank）とすることができる。変換部１０５により合成オーディオ信号１０４から、変換された合成オーディオ信号１０６が生じる。同じ変換部１０５により入力信号１３０からは、変換された入力信号１０７が生じる。入力信号１３０、変換された入力信号１０７、および変換された合成オーディオ信号１０６は、割り当て制御部１４０へ供給される。さらに両方の信号１０６，１０７は、演算部１０８により互いに結合される。最も簡単な事例の場合、この演算部１０８は差分形成部（減算部）とすることができるが、これに複雑な演算を含ませることも可能でありたとえば、もとのスペクトルに対する整合を改善するためにコアスペクトルの整合を行うこともでき、その場合には整合パラメータまたはコントロールパラメータ１０９も伝送することになる。
【００２１】
ついで結合信号１１１が、第１の改善段またはエンハンスメント段１１０へ供給される。このエンハンスメント段１１０は、到来する信号１１１を符号化する。符号化アルゴリズムとして、様々なオーディオ符号化方式が可能であり、有利にはベクトル量子化やベクトル符号化が用いられる。コアコーデック１００の結果すなわちパラメータ１０２は、第１のエンハンスメント段１１０におけるこの符号化区間１１３の制御およびコンフィグレーション１１２のために用いられる。この措置により、エンハンスメント段１１０の効率が著しく改善される。この場合、コアパラメータ１０２を使用することができ、それというのもこのパラメータはいずれにせよ受信機へ伝送されるからである。図示の事例では、このコアパラメータ１０２はコードブック選択を制御する。周期的なオーディオ区間において、非周期的なオーディオ区間とは異なるコードブックが用いられる。しかも信号エネルギー（音量）の符号化のためにコアコーデック１００のエネルギーパラメータがそのまま用いられ、その結果、ビットレートが節約される。コードブックはたとえばトレーニングされ最適化されており、どの音声区間においてオーディオ信号が目下存在しているのかに応じて選択され、たとえば有声の音列または無声の音列が存在するか否かに応じて選択される。受信機側において、到来する受信データを解釈することができる。
【００２２】
第１のエンハンスメント段１１０はエンハンスメント１のパラメータ１１４を形成し、これは格納されまたは受信機へ伝送される。復号部１１５により、やはり復号され改善された信号１１６が生じる。信号１１６は、変換された合成オーディオ信号１０６とともに逆差分形成部１１７へ供給される。逆差分形成部１１７から生じた信号１１８も同様に、変換された入力信号１０７とともに第２のエンハンスメント段１２０の入力側において結合部１１９へ導かれる。この場合、伝送チャネルにおいて利用可能なビットレートを完全に使い切ってしまうまで、複数のエンハンスメント段１１０，１２０が付け加えられる。その際、割り当て制御部１４０は、エンハンスメント段１１０，１２０の符号化段１１３，１２１を制御する。
【００２３】
この実施例の場合、変換部１０５として周波数変換たとえばＭＤＣＴが実行される。この変換はコアコーデック１００のサブフレームに同期して進行し、この場合、タイプ ITU-T G.7231 のコアコーデックを対象とする。このコアコーデックタイプは３０ｍｓの期間のフレームを利用し、これはそれぞれ７．５ｍｓの期間をもつ４つのサブフレームに分割されている。
【００２４】
図２には、１つのフレームが４つのサブフレームに分割された様子が示されている。この場合、各フレームごとに、主観的な判定基準に従って、たとえばＢＡＲＫＳＣＬＡＥによるグループ分けにより、複数のバンドないし帯域に分割されているスペクトル値をもつベクトルが形成される。図２によれば水平方向の時間軸ｔに沿って、先行のフレームｎ−１の一部分と１つの完全なフレームｎ ２００が示されている。フレームごとに４つの変換が実行され、それに応じて４つのベクトル２１０，２２０，２３０，２４０が生成される。各スペクトルベクトルに対し、時間領域において７．５ｍｓの期間をもつ１つのサブフレームが対応する。各スペクトルベクトルは４つのサブバンドないしは部分帯域に分割される。したがって、スペクトルベクトル２１０は４つのサブバンド２１１〜２１４を有しており、スペクトルベクトル２２０は４つのサブバンド２２１〜２２４を有しており、スペクトルベクトル２３０は４つのサブバンド２３１〜２３４を有しており、さらにスペクトルベクトル２４０は４つのサブバンド２４１〜２４４を有している。このようにフレーム２００ごとに、合わせて１６個のサブバンドが存在する。この場合、符号化アルゴリズムの各エンハンスメント段において、これら１６個のサブバンドのうちの１つが改善される。その際、いずれのサブバンドを改善するのかについては、割り当て制御部１４０により求められて決定される。この決定を、どの周波数帯域が主観的に重要であるのかについて判定する心理音響学的なモデルに基づいて行うことができるし、あるいはＳＮ比の測定により行うことができる。エンハンスメント段はパラメータセットを生成し、これは記憶される。これらのパラメータに加えて、改善されたバンドのアドレスも格納される。改善されたサブバンドはその後の符号化に考慮され、改善プロセスが新たに行われる。これに応じて、ｎ番目のエンハンスメント段のビットが（ｎ＋１）番目のエンハンスメント段よりも主観的に重要である、ということを前提とすることができる。また、複数のエンハンスメント段が同じサブバンドを改善するように構成することもできる。
【００２５】
図３には、記憶されたまたは伝送されたビット列が示されている。このビット列は、コアコーデック１００から得られたコアパラメータ１０２で始まる。それに続き、改善されたサブバンドのアドレス２１３の後ろに第１のエンハンスメント段のパラメータＥＮＨ １ １１４がおかれる。次に、第２の改善されたサブバンドのアドレス２３２ならびにそれに属するエンハンスメントパラメータＥＮＨ ２ が続く。ビットストリームの終端は、最後に改善されたサブバンドのアドレス２２２ならびにそれに属するエンハンスメントパラメータＥＮＨＫを成している。コア、第１のエンハンスメント段、第２のエンハンスメント段等から最後のエンハンスメント段まで続く順序で、ビットストリーム内にビットを配置することにより、ビットが自動的に主観的な重要度に応じて並べられる。各段にはアドレス２１３，２３２，２２１が設けられているので、これを受信機において適正に対応づけることができる。この場合、利用可能なビットレートに合わせたスケーリングは問題がなく、エンハンスメント段の抑圧によるコストをかけることなくそれを行うことができ、その際、一番重要でない最後の段ＥＮＨ Ｋ から始まる。このスケーリングは、伝送区間の任意のポイントにおいて行うことができる。
【００２６】
個々のサブバンドを必ずしも符号化しなくてもよく、隣接するバンドからの予測や補間によって簡単に計算したり近似したりすることができる。このようにすればいくつかのサブバンドを伝送しないでもよくなり、あるいは僅かな補間パラメータによって伝送するだけでよくなり、受信機においてそれらを隣接するサブバンドから形成できるようになる。図示の実施例によれば、サブバンド２１２および２３２を隣接するサブバンドから補間することができる。その際、この補間を、時間的に隣り合うサブバンドからも行えるし、スペクトル周波数範囲において隣り合うサブバンドから行うこともできる。また、フレームごとに４回よりも少ない回数で変換が実施される場合であっても、たとえば１回だけしか実施されない場合でも、既述の方法を適用することができる。改善部においてコアコーデックと同じ個数のサブフレームを用いれば、必ず好適に実現されるようになる。
【００２７】
図４ａには、アドレッシングオーバヘッドの少ない択一的なメモリフォーマットおよび伝送フォーマットが示されている。この種のメモリフォーマットは、たとえばデータベースアクセスに適している。各サブバンド２１１，２１２，２４４ごとに、それらのためにいくつのエンハンスメント段Ｎ ２１１，Ｎ ２１２，Ｎ ２４４がビット列内に設けられているかが格納され、ついですべてのエンハンスメント段２１１０，２１２０，２４４０が相前後して格納される。このようにすると、主観的な重要度に従うビットストリームの組織が失われる。しかしながらスケーリングにあたりまずはじめに、主観的に一番重要でないビットを抑圧できるようにする目的で、各オーディオデータストリームごとに付加的なスケーリング情報２０００が格納され、これにはそのような主観的な重要性の情報が含まれている。
【００２８】
図４ｂには、図４ａの択一的なメモリフォーマットおよび伝送フォーマットに対応するビット操作ユニットが示されている。このビット操作ユニット４１０はオーディオデータベース４０５から、オーディオデータストリーム４００ならびにスケーリング情報４０１を受け取る。まえもって定められたビットレート４０２に従いビット操作ユニット４１０において、利用可能なビットレートに到達するまでエンハンスメント段の個数が抑圧される。ビットストリーム内のサブ情報たとえばサブバンドごとのエンハンスメント段の個数なども、段を除いた後には当然ながら補正する必要がある。ついで、結果として生じたデータストリームが伝送される。
【００２９】
以下では、ビットレートスケーリングのための２つの主要な適用分野について説明する。
【００３０】
たとえば毎秒６４ｋｂｉｔの最大ビットレートをもつオーディオソースが符号化され格納されているオーディオデータベースへアクセスする場合、種々のビットレートをもつ様々な伝送システムによりアクセスが行われる可能性がある。このため送信前にビットレートを、適切なビットの抑圧または符号変換により伝送システムの利用可能なビットレートに整合させる必要がある。この場合、スケーリングされたビットレートに最適な品質が受信機において保証される。
【００３１】
別の実例は可変ビットレートをもつ伝送システムでの伝送であり、たとえばいわゆるＡＴＭ（Asynchronous Transfer Modus）モードまたはたとえばインターネットにおける伝送である。この種の適用事例の場合、交換ノードが過負荷またはその他の影響で、連続的な伝送を保証するにはそのままではもはやオーディオデータストリームを処理できない場合に、交換ノードにおける適切なビットの抑圧によりビットレートを局所的に整合させることができる。
【図１】
2010170142.tif 000003
【図２】
2010170142.tif 000004
【図３】
2010170142.tif 000005
【図４ａ】
2010170142.tif 000006
【図４ｂ】
2010170142.tif 000007